(57)【要約】【課題】外部から押圧されたことによって生ずる気圧の変化の影響が、気圧センサによって検出される気圧に加わる度合いを低減することができる電子機器を提供すること。【解決手段】気圧センサ１１が配置されている回路基板１２と、第１通気口１３と第２通気口１４と壁部１５とが形成されているリアケース１６とを備える。壁部１５は、第１通気口１３を除いて第２通気口１４と気圧センサ１１とを囲うように立設されている。【選択図】図４
2014225826.tif 000002
【特許請求の範囲】
【請求項１】
気圧センサが配置されている回路基板と、
第１通気口と第２通気口と壁部とが形成されている筐体とを備え、
前記壁部は、前記第１通気口を除いて前記第２通気口と前記気圧センサとを囲うように立設されている電子機器。
【発明の詳細な説明】
【技術分野】
【０００１】
本発明は、気圧センサを備える電子機器に関する。
【背景技術】
【０００２】
電子機器には、加速度センサによって検出された値に基づいて、歩数をカウントする機能を有しているものがある（例えば、特許文献１を参照。）。
【先行技術文献】
【特許文献】
【０００３】
【特許文献１】特開２００４−１２０６８８号公報
【発明の概要】
【発明が解決しようとする課題】
【０００４】
ところで、電子機器では、加速度センサ以外に気圧センサを電子機器内部に搭載したものがある。電子機器内部に気圧センサを搭載した場合、電子機器内部の気圧は電子機器が外部から押圧され歪むことにより変動してしまうため、電子機器内部に搭載された気圧センサによって大気圧（電子機器外部の気圧）を適切に検出することが難しいといった問題がある。
したがって、本発明は、電子機器が外部から押圧されたことによって生ずる気圧の変化の影響が、気圧センサによって検出される気圧に加わる度合いを低減することができる電子機器を提供することを目的とする。
【課題を解決するための手段】
【０００５】
本発明に係る電子機器は、気圧センサが配置されている回路基板と、第１通気口と第２通気口と壁部とが形成されている筐体とを備え、前記壁部は、前記第１通気口を除いて前記第２通気口と前記気圧センサとを囲うように立設されている。
【発明の効果】
【０００６】
本発明によれば、電子機器が外部から押圧されたことによって生ずる気圧の変化の影響が、気圧センサによって検出される気圧に加わる度合いを低減することができる。
【図面の簡単な説明】
【０００７】
【図１】携帯電話機本体に組み込んだ回路基板を示す外観図である。
【図２】リアケースの内側を示す外観図である。
【図３】携帯電話機本体にリアケースを組み合わせたときの外観図と模式図を示す。
【図４】携帯電話機の断面図である。
【図５】気圧センサが配置される場所についての説明に供する図である。
【図６】壁部により囲まれる領域の大きさについての説明に供する図である。
【発明を実施するための形態】
【０００８】
本実施例に係る電子機器は、電子機器が外部から押圧されたことによって生ずる気圧の変化の影響が、気圧センサによって検出される気圧に加わる度合いを低減するための構成を有している。以下に、本発明を実施するための実施形態を詳細に説明する。以下では、電子機器の一例として、携帯電話機１について説明する。
【０００９】
携帯電話機１は、図１〜３に示すように、気圧センサ１１が配置されている回路基板１２と、第１通気口１３と、第２通気口１４と壁部１５とが形成されている筐体（以下、リアケースという）１６とを備える。
【００１０】
なお、図１は、リアケース１６を取り外した場合の携帯電話機１の背面図を示している。図２は、リアケース１６を内側からみたときの図を示す。また、図３（ａ）は、リアケース１６が携帯電話機１本体に組み合わせられている状態において、リアケース１６を裏側からみたとき図を示す。リアケース１６には、第１通気口１３及び第２通気口１４が形成されている。
【００１１】
壁部１５は、図２に示すように、第１通気口１３を除いて第２通気口１４を囲うように立設されている。壁部１５の開口面は、図３（ｂ）に示すように、リアケース１６を機器本体に組み合わせた場合に、気圧センサ１１が配置されている回路基板１２上の表面部分（具体的には、図１中の領域Ａ）を覆う。
【００１２】
ここで、携帯電話機１の断面図を図４に示す。壁部１５は、図４に示すように、携帯電話機１内部において、気圧センサ１１が配置される空間と他の空間（気圧センサ１１が配置されていない空間）とを隔てる壁となる。
【００１３】
よって、携帯電話機１は、壁部１５が第１通気口１３を除いて第２通気口１４と気圧センサ１１を囲うように立設されているので、携帯電話機１が外部から押圧され、気圧センサ１１が配置されていない空間で生じた気圧の変動の影響を気圧センサ１１に与えないようにできる。つまり、携帯電話機１は、携帯電話機１が外部から押圧され（特に、気圧センサ１１が配置されていない空間（例えば、タッチパネル２１）に対して押圧がされ）歪むことによって生ずる気圧の変化の影響が、気圧センサ１１によって検出される気圧に加わる度合いを低減することができる。
【００１４】
第２通気口１４は、壁部１５により囲われている空間内の気体圧力（気圧）を携帯電話機１外部の気圧と等しくするための通気口になる。また、第１通気口１３は、壁部１５により囲われている空間を除く携帯電話機１内部の空間（気圧センサ１１が配置されていない空間）の気圧を携帯電話機１外部の気圧と等しくするための通気口になる。また、第１通気口１３及び第２通気口１４は、携帯電話機１の内部に水が浸入するおそれを低減するために防水・防塵機能を発揮する防水素材で覆われている。
【００１５】
よって、携帯電話機１は、第１通気口１３及び第２通気口１４を通して機器内部に水滴等が侵入することがなく、気圧センサ１１等を水滴等から守ることができ、防水性を発揮することができる。なお、第１通気口１３及び第２通気口１４が、防水部材で覆われている場合、防水部材で覆われていない場合に比べて、通気性は悪くなる。したがって、携帯電話機１が防水構造を有し、第１通気口１３及び第２通気口１４が、防水部材で覆われている場合は、携帯電話機１が外部から押圧され歪んだ場合、携帯電話機１内部の気圧の変動の度合いは、携帯電話機１が防水構造を有していない場合と比較して大きくなるとともに、携帯電話機１外部と内部に気圧差が生じている状態が長く続くことになる。本発明の効果は、携帯電話機１が防水構造を有している場合に、特に顕著となる。
【００１６】
なお、壁部１５の開口面には、シリコンゴム等の弾性部材が形成されていてもよい。壁部１５の開口面にシリコンゴム等の弾性部材が形成されていると、リアケース１６が機器本体に組み合わされた場合において、壁部１５の開口面と回路基板１２の表面との密着性が高まり、気圧センサ１１が配置されていない空間で生じた気圧の変動が、気圧センサ１１が配置されている空間に与える影響をより低くすることができる。
【００１７】
つぎに、気圧センサ１１が配置される場所について説明する。
気圧センサ１１は、図５（ａ）に示すように、携帯電話機１の中央付近に配置するような場合が考えられる。しかし、携帯電話機１の中央付近は、携帯電話機１の剛性が低く、歪みやすい箇所といえる。そうすると、携帯電話機１の中央付近に壁部１５によって囲まれた気圧センサ１１が配置された空間を設けると、この空間に対して携帯電話機１外部からの小さな押圧が加えられただけで歪んでしまい、気圧の変動が生ずるおそれがある。
【００１８】
そこで、携帯電話機１は、図５（ｂ）に示すように、第２通気口１４と壁部１５が、リアケース１６の端部付近に形成される構成を採用する。携帯電話機１の端部付近は、剛性が高く、歪みにくい箇所といえる。そうすると、携帯電話機１の端部付近に壁部１５によって囲まれた気圧センサ１１が配置される空間を設けると、この空間に対して携帯電話機１外部から押圧が加えられても歪みにくく、気圧の変動は生じにくくなる。
なお、気圧センサ１１は、回路基板１２上において、リアケース１６と組み合わさったときに、壁部１５により囲われている場所に配置される。
【００１９】
このように構成されることにより、携帯電話機１は、携帯電話機１が外部から押圧されたことによって生ずる気圧の変化の影響が、気圧センサ１１によって検出される気圧に加わる度合いを低減することができる。
なお、本実施例では、気圧センサ１１の配置場所は、機器の端部付近であるとして説明したが、剛性が高い場所であれば端部付近に限られない。
【００２０】
つぎに、壁部１５により囲まれる領域の大きさについて説明する。
壁部１５により囲まれる領域は、気圧センサ１１が配置される領域である。携帯電話機１は、図６（ａ）に示すように、壁部１５により囲まれる領域が必要以上に広い場合には、この領域に対して携帯電話機１の外部から小さな押圧が加わっただけで、携帯電話機１が歪み、携帯電話機１の圧力が変動してしまうおそれがある。
【００２１】
そこで、携帯電話機１は、図６（ｂ）に示すように、壁部１５により囲われる空間の大きさを、回路基板１２上に配置される気圧センサ１１の大きさと同等程度にする。理想的には、壁部１５により囲われる空間の大きさは、気圧センサ１１の外形とほぼ同じ大きさにする。
【００２２】
このように構成されることにより、携帯電話機１は、壁部１５により囲われる空間が気圧センサ１１のサイズに応じて小さく設計するので、剛性が高くなり、外力が加わったときに生じる歪みに強くなる。よって、携帯電話機１は、携帯電話機１外部から押圧が加えられても歪みにくく、気圧の変動は生じにくくなる。
このように構成されることにより、携帯電話機１は、携帯電話機１が外部から押圧されたことによって生ずる気圧の変化の影響が、気圧センサ１１によって検出される気圧に加わる度合いを低減することができる。
【００２３】
なお、本実施例では、壁部１５により囲われる空間には、気圧センサ１１が配置されと説明したが、これに限られず、他の要素（例えば、マイク等）も配置されてもよい。
【００２４】
また、回路基板１２は、気圧センサ１１が配置される場所の裏面側にチップ等の剛性の高い要素が配置される構成でもよい。このような構成によれば、壁部１５により囲われる空間の剛性が高くなるメリットがある。
【符号の説明】
【００２５】
１  携帯電話機
１１  気圧センサ
１２  回路基板
１３  第１通気口
１４  第２通気口
１５  壁部
１６  筐体（リアケース）
【図１】
2014225826.tif 000003
【図２】
2014225826.tif 000004
【図３】
2014225826.tif 000005
【図４】
2014225826.tif 000006
【図５】
2014225826.tif 000007
【図６】
2014225826.tif 000008